(57)【要約】【課題】組立体クリアランスを回復するのに効果的で調整可能な、銃床内に存在する可能な装置に干渉せず、軽く、作って操作するのが容易な、銃床のフレームへの締め付けを達成する機構を提供する。【解決手段】機構（４０）は、銃床（２０）に揺動可能に一体的に連結され、次に、ヒンジピン（４１）周りの回転で支配されるようになっている接触プロファイル（５１）を備えたロック及びテンション手段（５０）と、前記ロック及びテンション手段（５０）を、接触プロファイルの回転をたどって、銃床ボルト（１６）の非ロック位置からテンションを増加させた銃床ボルト（１６）の係合位置まで、及び反対に、レシーバ（１２）と一体の銃床ボルト（１６）と協働するようになっている係合部（５４）と、を含む。【選択図】図３
2008111655.tif 000002
【特許請求の範囲】
【請求項１】
銃床（２０）のテンション組立体を、小火器（１０）のレシーバ（１２）にロックし、調節するための機構（４０）であって、銃床（２０）に揺動可能に一体的に連結され、次に、ヒンジピン（４１）周りの回転で支配されるようになっている接触プロファイル（５１）を備えたロック及びテンション手段（５０）と、前記ロック及びテンション手段（５０）を、接触プロファイルの回転をたどって、銃床ボルト（１６）の非ロック位置からテンションを増加させた銃床ボルト（１６）の係合位置まで、及び反対に、テンション下の銃床ボルトの係合位置から非ロック位置まで通すために、レシーバ（１２）と一体の銃床ボルト（１６）と協働するようになっている係合部（５４）と、を含む、ことを特徴とする機構。
【請求項２】
前記ロック及びテンション手段（５０）は、係合部（５３）が、銃床ボルトの終端部分に設けられたヘッド（１７）を保持するようになっている一対の先端（５５）を有するフォーク形態（５４）に設けられ、２つの先端（５５）の間にある溝（５６）を受け入れるために予め配置された小さい直径のネック（１８）が上に置かれる鐙の形態である、請求項１に記載の機構（４０）。
【請求項３】
前記鐙（５０）は、スロット（５９）によって分離された２つの平行アーチ（５７）によって形成された延長部を中央に備え、前記アーチ（５７）は、接触プロファイル（５１）に連結され、ヒンジピン（４１）を挿入するために、一対の孔（５９）が横切っている、請求項２に記載の機構（４０）。
【請求項４】
スロット（５８）は、ピン（４１）に巻かれ、鐙を非ロック位置に戻すようになっているコイルばね（４２）を収めるように予め配置されている、請求項３に記載の機構（４０）。
【請求項５】
ねじ（６０）が、ピン（４１）の回転軸線に関して常に整列しない結果となる力付与点で、鐙（５０）を回転させるために接触プロファイル（５１）を押し付け駆動するように設けられる、請求項４に記載の機構（４０）。
【請求項６】
前記機構は、銃床（２０）に設けられる円筒スロット（３３）の中に挿入されるブッシュ（４３）内に収められる、請求項５に記載の機構（４０）。
【請求項７】
前記銃床（２０）は、ピストルグリップ（２２）に設けられる成形座（３０）を有し、ピストルグリップ（２２）のベースに導き、上部において銃床内で前記円筒スロット（３３）に連結するチェンバー（３１）を含む、請求項６に記載の機構（４０）。
【請求項８】
前記ブッシュ（４３）は、中空円筒ボディを含み、この中空円筒ボディは、銃床ボルト（１６）を通すための側方開口（４７）を備え、且つねじ（６０）を保持し、ブッシュから係合が外れるのを防止する防止底板を係合状態で受け入れるようになっている歯（４５）及び小穴（４４）をベースに備えた、請求項７に記載の機構（４０）。
【請求項９】
前記歯（４５）は、底板（６１）に設けられたフック（６３）によって結合されるように設けられ、孔あきプレート（６２）が、機構（４０）を長い銃の銃床に保持する底板−ブッシュセットの固定ねじを通すための小穴（４４）に対応するように設けられる、請求項８に記載の機構（４０）。
【請求項１０】
前記底板（６１）は、締め付けテンションを調整するために、または銃床を非ロックするために、ねじ（６０）と係合するようになっている適当なキー（８０）を通すための開口（６４）を有する、請求項９に記載の機構（４０）。
【請求項１１】
プラグ（７０）が、前記チェンバーを閉じるために設けられ、該プラグは、チェンバーの壁に部分的に合い、ピストルグリップ（２２）の底部を閉め且つキー（８０）で直接駆動可能なばねドア（７１）を備える、請求項１０に記載の機構（４０）。
【発明の詳細な説明】
【技術分野】
【０００１】
本発明は、銃床のテンション組立体を小火器のレシーバにロックし、調整する機構に関する。
詳細には、本発明は、オーバーアンダーまたはサイドバイサイドの、一般的に、しかしそれに限定されないが、ブレイクオープンの、長い野戦砲または競技用銃のような、長い小火器用を意図した機構に関する。
【背景技術】
【０００２】
長い小火器では、木材またはポリマーで作られた銃床が、フレーム、詳細にはレシーバに組み立てられることが知られている。そのような組立体は、発砲中、かなりの反動力を受ける；そのような現象は、作用・反作用の原則の特徴として、小火器が発射時に発射体に与える衝撃により、小火器を後方に移動させる衝撃を示す。
【０００３】
前述の衝撃力は、長い銃の銃床の隣接領域、即ち射手の肩に放出され、加速最大点がほぼ３００−４００ｋｇで力を与えることができることを考慮すると、第１の側面による小火器が、いかに射手にかかるそのような力の効果を減ずるようになっている装置を便利に備えていなければならないか、また、他の側面によれば、組立体が、いかに発砲段階における誘導される圧力の経時反復性を保証するように、特別の注意を払って作られなければならないか、理解される。
【０００４】
さらに、過去数年間で、必然的に標準サイズで作られた銃床を、グリップ及び個人の人間工学的特性に適用させる必要性が、小火器、及び特に射手の必要性による銃床を、「個人化する」ことを可能にするシムまたはキャスト装置の挿入を導いた。
【０００５】
したがって、採用された装置によれば、銃床−レシーバ組立体が保持する更なる圧力を含む調整不良がある。
従来技術によれば、銃床のフレームへの固定は、端部にねじを適切に備え、レシーバに固定され、長手方向の貫通キャビティを備えた銃床が係合される中央銃床ボルトによって行われる。
【０００６】
銃床は、次いで、バットプレートの下の長手方向キャビティに挿入されるナットによって締められる。操作は、バットプレートの取付で完了する。
【発明の開示】
【発明が解決しようとする課題】
【０００７】
他の従来技術によれば、銃床ボルトは、バットプレートを分解することなく、適切なキーで、フレームに直接ねじ込まれるように設けられる。
いずれの場合でも、そのような取り外しシステムは、銃床の全長に影響を及ぼし、銃床自身の中で位置決めされなければならない多くの装置に干渉する。
さらに、そのようなシステムは、組立体のよい初期テンションを可能にするが、（銃の使用に伴って、緩まる傾向にあり、これには構成部品や接触面の摩耗が続く）組立体の次の調整では、それらは、一般的に、存在する可能な抗反動システムで、かくしてバットプレート自体の調節で、複雑な操作を必要とする。
【０００８】
したがって、出願人は、可能な組立体クリアランスを回復するのに効果的で調整可能な、銃床内に存在する可能な装置に干渉せず、軽く、作って操作するのが容易な、銃床のフレームへの締め付けをいかに達成するかの問題に取り組んだ。
【課題を解決するための手段】
【０００９】
出願人は、前述の問題を、銃床のテンション組立体を小火器のレシーバにロックし、調整するための機構を提供することによって解決することができた。
本発明の主目的は、既知の機構に代替的なロックし及び調整する機構を作ることにあり、これは、バットプレートの取り外しを必要とせず、銃床の終端部分に位置決めされた可能な装置に干渉しない。
本発明の他の目的は、銃床のテンション組立体を、小火器のレシーバにロックし、調整するための機構を作ることにあり、これは銃床とフレームの間のテンション組立体の改良された調整を可能にする。
【００１０】
本発明によるこれらの及び他の目的は、請求項１に記載された発明によれば、銃床のテンション組立体を、小火器のレシーバにロックし、調整するための機構手段によって到達される。
更なる特徴は、従属請求項に設けられる。
【００１１】
本発明による、銃床のテンション組立体を小火器のレシーバにロックし、調整するための機構は、銃床に揺動可能に一体的に連結され、次にヒンジピン周りの回転で支配されるようになっているロック及び調整手段と、接触プロファイルの回転をたどって、銃床ボルトの非ロック位置からテンションを増大させた銃床ボルトの係合位置まで、及びその反対に通るために、レシーバと一体の銃床ボルトと協働するようになっている係合部と、を含む。
【００１２】
本発明による、銃床のテンション組立体を小火器のレシーバにロックし、調整するための機構の特徴及び利点は、添付の概略図を参照した、次の例示的且つ非限定的な説明からより明らかになろう。
【発明を実施するための最良の形態】
【００１３】
図を参照すると、小火器１０は、銃床２０と、手元に関するフレーム１２と、を有し、フレーム１２は、手元に、作動ボディ１３と、トリガープレート１４と、を含み、トリガープレート１４は、トリガープレート１４を作動ボディ１３に固定するようになっている銃尾面１５を備える。
成形銃床ボルト１６が、ねじ込みによってレシーバ面１５に固定され、そのような銃床ボルト１６は、小火器銃床２０を受け入れるために、フレームから延びる。
【００１４】
そのような目的で、銃床は、その長手方向軸線に実質的に平行なチャネル２１を有し、このチャネル２１は、銃床の終端部分２３の方向に、実質的にピストルグリップ２２の領域まで、またはそれを少し超えて延ばされている。
銃床は、衝撃吸収反動装置及び／又は銃床長さ調節器を受け入れるために、バットプレート２６に対向する終端部分に適切なシート２５を更に有するのがよい。更なるシート（図示せず）が、ドロップ調整装置の挿入のために、コム２７とヒール２８の間に更に配置されてもよい。
【００１５】
本発明による、銃床２０のテンション組立体をレシーバ１２にロックし、調整するための機構４０は、銃床のピストルグリップ２２に設けられ、チェンバー３１を有する成形座３０内に収められ、チェンバー３１は、ピストルグリップ２２のベースに導き、上部において銃床内でチャネル２１に交差する円筒スロット３３に連結される。
【００１６】
銃床２０のテンション組立体を、小火器１０のレシーバ１２にロックし、調整するための機構４０は、鐙５０の形態で、銃床に揺動可能に一体的に連結されたロック及びテンション手段を含む。
【００１７】
鐙５０は、次に、ヒンジピン４１周りの回転で支配されるようになっている接触プロファイル５１と、接触プロファイル５１の回転をたどって、銃床ボルト１６の非ロック位置からテンションを増大させた前記銃床ボルト１６の係合位置まで、またはその反対に、テンション下の係合位置から非ロック位置まで通るために、レシーバ１２と一体の銃床ボルト１６と協働するようになっている係合部５３と、を備える。
【００１８】
係合部５３は、フォーク５４の形態に設けられ、銃床ボルトの終端部分に設けられたヘッド１７を保持するようになっている一対の先端５５を有し、２つの先端５５の間の溝５６を受け入れるように予め配置された小さい直径のネック１８を上に置く。
【００１９】
鐙５０は、中央に、スロット５８によって分離された２つの平行アーチ５７によって形成される延長部を有し、アーチ５７は、接触プロファイル５１に連結し、ヒンジピン４１の挿入のために、一対の孔５９が横切る。
スロット５８の中には、コイルばね４２が収められ、コイルバネ４２は、ピン４１に巻かれ、鐙を非ロック位置に戻すようになっている。
【００２０】
鐙の回転は、ねじ６０によって支配され、ピン４１の回転軸線に関して常に整列しない結果となる力付与点で、接触プロファイル５１を押し付け駆動する。
そのような方法で、ねじ６０をねじ込むことにより、銃床とレシーバの間の、可能なクリアランスを回復するための、連続的な締め付けを行うことが可能であり、ねじ６０をゆるめることによって、ばね４２は、鐙を非ロック位置に戻す。
【００２１】
機構４０は、成形座３０の銃床内の領域に設けられる円筒スロット３３に挿入されるブッシュ４３内に収められる。
そのようなブッシュ４３は、中空円筒ボディを含み、この中空円筒ボディは、銃床ボルト１６た通過するための側方開口４７と、ベースに設けられ、ねじ６０を保持するようになっており、ブッシュから係合が外れるのを阻止する防止底板６１を係合状態で受け入れるようになっている歯４５及び小穴４４と、を備える。
【００２２】
詳細には、歯４５は、底板６１に設けられたフック６３によって結合され、孔あきプレート６２が、機構４０を長い銃の銃床に保持する底板−ブッシュセットの固定ねじを通すために、小穴４４に対応して設けられる。
【００２３】
底板６１は、銃床の締めテンションを調整するために、または非ロックするために、ねじ６０と係合するようになっている、適切なキー８０を通すための開口６４を有する。
【００２４】
チェンバー３１は、その壁に部分的に合ったプラグ７０によって閉じられ、このプラグ７０は、ピストルグリップ２２の底板を閉じ、直接的にキー８０で作動されることができるばねドア７１を備える。
【００２５】
本発明による機構は、好ましくは、長い銃またはカービン銃のような長い小火器、または短いが、肩支持が意図された銃床を備えた銃に設けられることができる。
長い銃の中では、ブレイクオープン銃身の武器、即ち、小火器の開放が、銃身を銃尾面または作動ボディに対して回転させることによって達成される武器、または固定銃身を有するセミオートマチック武器に取り付けられることができ、武器のタイプに関しては、制限されず、（例えばオーバーアンダー、サイドバイサイド、長い単装銃のような）、滑らかなまたは旋条付のバレルを有する、スポーツタイプのものであってもよい。
【００２６】
本発明の目的である、銃床のテンション組立体を小火器のレシーバにロックし、調整するための機構は、連結摩耗による締め付けロスを回復させるために、連続的に調整可能なテンションを有するテンション組立体のロックを達成し、武器の銃床の終端部分に干渉しないという二重の目的を有する。
【図面の簡単な説明】
【００２７】
【図１】本発明による機構を保持し、フレームに非ロック位置で取り付けられた銃床を有する長い小火器の中央部分の、部分断面側面図である。
【図２】本発明による機構を保持し、フレームにロック位置で取り付けられた銃床を有する長い小火器の中央部分の部分断面側面図である。
【図３】本発明による機構の分解斜視図である。
【図４】本発明による機構の正面図である。
【図５】小火器の銃床内で占めるであろう可能性のある位置における、本発明による機構の側面図である。
【図１】
2008111655.tif 000003
【図２】
2008111655.tif 000004
【図３】
2008111655.tif 000005
【図４】
2008111655.tif 000006
【図５】
2008111655.tif 000007
【外国語明細書】
2008111655.tif 000008
2008111655.tif 000009
2008111655.tif 000010
2008111655.tif 000011
2008111655.tif 000012
2008111655.tif 000013
2008111655.tif 000014
2008111655.tif 000015
2008111655.tif 000016
2008111655.tif 000017
2008111655.tif 000018
2008111655.tif 000019
2008111655.tif 000020
2008111655.tif 000021
2008111655.tif 000022
2008111655.tif 000023
2008111655.tif 000024